(57)【要約】【課題】切込刃の着脱が簡単、確実、迅速に行え、正確で、取付け精度が高く、安定した切込刃の装着状態が得られ、取扱い易く、再研磨や、互換装着作業等が簡単に、短時間で、能率的に行え、構成簡素で、耐久性に優れ、量産に適し、低コスト化が図れ、経済的に優れ、確実に、正確にミシン目を設けられ、切込刃自体を小さく（薄く）、軽量にでき、使い勝手の優れたものを提供する。【解決手段】基盤部１及び取付凸部２を有し、支持シャフトＥに固定する取付盤Ａと、取付凸部２に取外し可能に装着して、切込刃Ｄの一側面に密接する一方の挟持板Ｂと、取付凸部２に取外し可能に装着して、切込刃Ｄの他側面に密接する他方の挟持板Ｃと、他方の挟持板Ｃのネジ挿通孔６に挿通して、支持シャフトＥの雌ネジ孔部１６に螺着する締付ネジ８とを備え、締付ネジ８の雌ネジ孔部１６への螺着で、切込刃Ｄを一対の挟持板Ｂ、Ｃで挟圧保持できるよう構成する。【選択図】　　　　図２
2004082312.tif 000002
【特許請求の範囲】
【請求項１】
中央に取付孔が穿設され、且つ外周縁に複数の切込溝が設けられている略肉薄円板状のミシン目作成用切込刃を、支持シャフトに着脱自在に装着できるようにした切込刃用保持装置であって、略円盤状の基盤部及びこの基盤部より小さな略円盤状の取付凸部を有すると共に、支持シャフトに固定される取付盤と、この取付盤の取付凸部に取外し可能に装着されると共に、切込刃の一側面に密接する一方の挟持板と、取付盤の取付凸部に取外し可能に装着されると共に、切込刃の他側面に密接する他方の挟持板と、この他方の挟持板の中央に設けたネジ挿通孔に挿通されると共に、支持シャフトの先端面中央に螺設した雌ネジ孔部に螺着される締付ネジとを備え、締付ネジの雌ネジ孔部への螺着で、切込刃を一対の挟持板で挟圧保持できるように構成したことを特徴とする切込刃用保持装置。
【請求項２】
一方の挟持板の中央には、取付盤の取付凸部が挿通される取付孔を設け、他方の挟持板の一側面がわ中央には、取付盤の取付凸部が挿入される収容凹部を設け、この収容凹部奥壁面と、取付盤の取付凸部先端面との間に隙間空間が設けられるように構成したことを特徴とする請求項１記載の切込刃用保持装置。
【発明の詳細な説明】
【０００１】
【発明の属する技術分野】
本発明は、例えば、紙、合成樹脂シート等にミシン目を作成できるようにした略肉薄円板状のミシン目作成用切込刃を、支持シャフトに着脱自在に装着するのに最適な切込刃用保持装置に係り、特に、切込刃の着脱が簡単、確実、迅速に行え、正確で、取付精度が高く、安定した切込刃の装着状態が得られるように工夫した切込刃用保持装置に関するものである。
【０００２】
【従来の技術】
従来、この種の切込刃用の保持手段としては、種々のものが提案されており、例えば、実公昭５３−４７２６７号公報に記載されているようなカッター装置がある。これは、回転する転子の周面に、中央に透孔を有する円盤状の鋼材からなるカッター刃の刃先を当接させ、該転子とカッター刃との間でシート状物を裁断する式のものに於いて、該鋼材の側面を一方に突出させて薄手皿状のカッター刃に形成し、該刃に形成した透孔を支軸に挿通させ、該刃を、その内側凹入面の中腹部に環状に当接すべく該支軸に挿通した固定リングと、外側突出面の透孔の周縁に当接すべく該支軸に挿通した環状の固定リングとで挟圧し固定してなるものである。
【０００３】
【発明が解決しようとする課題】
ところが、前述の如き切込刃用の保持手段にあっては、支軸に挿通した固定リングのボス部に、固定リングを螺着させることで、内側凹入面の中腹部が固定リングに環状に当接しているカッター刃を挟圧しているが、固定リングの螺着状態（締付け状態）によっては、薄手皿状のカッター刃自身が弾性変形し易く、しかも、その弾性変形により、刃先部分が所望位置に一定に配置されない虞れ等があった。すなわち、カッター刃の取付精度が低い難点があった。しかも、カッター刃自身の弾力を利用して、挟圧しているため、その挟圧状態が安定しない難点等もあった。
【０００４】
【課題を解決するための手段】
そこで、本発明は、前述の如き難点等を解消できるようにするのは勿論のこと、構成が簡素で、耐久性に優れ、量産に適し、低コスト化が図れ、取扱い易く、切込刃の着脱が簡単、確実、迅速に行え、正確で、取付精度が高く、安定した切込刃の装着状態が得られ、経済的にも優れた切込刃用保持装置を提供できるようにすべく創出されたものである。
【０００５】
しかして、本発明の請求項１記載の切込刃用保持装置にあっては、中央に取付孔１０が穿設され、且つ外周縁に複数の切込溝１１が設けられている略肉薄円板状のミシン目作成用切込刃Ｄを、支持シャフトＥに着脱自在に装着できるようにした切込刃用保持装置であって、略円盤状の基盤部１及びこの基盤部１より小さな略円盤状の取付凸部２を有すると共に、支持シャフトＥに固定される取付盤Ａと、この取付盤Ａの取付凸部２に取外し可能に装着されると共に、切込刃Ｄの一側面に密接する一方の挟持板Ｂと、取付盤Ａの取付凸部２に取外し可能に装着されると共に、切込刃Ｄの他側面に密接する他方の挟持板Ｃと、この他方の挟持板Ｃの中央に設けたネジ挿通孔６に挿通されると共に、支持シャフトＥの先端面中央に螺設した雌ネジ孔部１６に螺着される締付ネジ８とを備え、締付ネジ８の雌ネジ孔部１６への螺着で、切込刃Ｄを一対の挟持板Ｂ、Ｃで挟圧保持できるように構成する手段を採用した。
【０００６】
また、本発明の請求項２記載の切込刃用保持装置にあっては、一方の挟持板Ｂの中央には、取付盤Ａの取付凸部２が挿通される取付孔５を設け、他方の挟持板Ｃの一側面がわ中央には、取付盤Ａの取付凸部２が挿入される収容凹部７を設け、この収容凹部７奥壁面と、取付盤Ａの取付凸部２先端面との間に隙間空間が設けられるように構成する手段を採用した。
【０００７】
【発明の実施の形態】
以下、本発明を図示例に基づいて説明すると、次の通りである。
本発明の切込刃用保持装置は、例えば、紙や合成樹脂シート等のような適宜シート状物にミシン目状（或いは、その他の形状でも良い）の切込線を作成できるようにした略肉薄円板状の切込刃Ｄを、適宜支持手段によって正逆回転自在に支持されている支持シャフトＥの先端部分に、着脱自在に装着できるようにしたもので、この切込刃用保持装置は、切込刃Ｄの着脱が簡単に、確実に、迅速に行えると共に、その装着状態が、正確で、取付精度が高く、安定したものとなるように構成されたものである。
【０００８】
すなわち、切込刃用保持装置は、中央に取付孔１０が穿設され、且つ外周縁に複数の切込溝１１が設けられている略肉薄円板状のミシン目作成用切込刃Ｄを、その先端がわ外表面に雄ネジ部１５が設けられ、先端部内に雌ネジ孔部１６が設けられている支持シャフトＥに着脱自在に装着できるようにしたもので、具体的には、略円盤状の基盤部１及びこの基盤部１より小さな略円盤状の取付凸部２を有すると共に、支持シャフトＥに固定される取付盤Ａと、この取付盤Ａの取付凸部２に取外し可能に装着されると共に、切込刃Ｄの一側面に密接する一方の略円錐台状挟持板Ｂと、取付盤Ａの取付凸部２に取外し可能に装着されると共に、切込刃Ｄの他側面に密接する他方の略円錐台状挟持板Ｃと、この他方の挟持板Ｃの中央に設けたネジ挿通孔６に挿通されると共に、支持シャフトＥの先端面中央に螺設した雌ネジ孔部１６に螺着される締付ネジ８とを備え、締付ネジ８の雌ネジ孔部１６への螺着で、切込刃Ｄを一対の挟持板Ｂ、Ｃで挟圧保持できるように構成されている。
【０００９】
更に、一方の挟持板Ｂの中央には、取付盤Ａの取付凸部２が挿通される取付孔５を設け、他方の挟持板Ｃの一側面がわ中央には、取付盤Ａの取付凸部２が挿入される収容凹部７を設け、この収容凹部７奥壁面と、取付盤Ａの取付凸部２先端面との間に隙間空間が設けられるように構成されている。
【００１０】
前記取付盤Ａは、例えば、適宜金属材（或いは、適宜複合材であっても良い）によって一体的に構成されると共に、基盤部１と取付凸部２とからなる略段付円盤状に構成されており、支持シャフトＥの雄ネジ部１５に螺着可能な雌ネジ孔３がその中央を貫通するように設けられている。しかも、基盤部１の外周部分には、回り止穴４が設けられており、この回り止穴４に、適宜棒状物等を差し込むことによって、支持シャフトＥに対して取付盤Ａを強制回転せしめられるようにしたり、或いは、雌ネジ孔３に螺着せしめるべく回転する支持シャフトＥに対して、不動状態を維持できるように構成されている。
【００１１】
前記一方の挟持板Ｂは、例えば、適宜金属材（或いは、適宜複合材であっても良い）によって一体的に構成されると共に、切込刃Ｄより僅かに小さな外径の略円錐台状に構成されており、取付盤Ａの取付凸部２の外径に合致する内径の取付孔５がその中央を貫通するように設けられている。
【００１２】
前記他方の挟持板Ｃは、例えば、適宜金属材（或いは、適宜複合材であっても良い）によって一体的に構成されると共に、切込刃Ｄより僅かに小さな外径の略円錐台状に構成されており、取付盤Ａの取付凸部２の外径に合致する内径の収容凹部７が一側面がわ中央に凹設され、締付ネジ８が挿通可能なネジ挿通孔６がその中央を貫通するように設けられている。
【００１３】
前記切込刃Ｄは、例えば、超硬合金（或いは、高速度鋼）等によって略肉薄円板状に一体的に構成されており、取付盤Ａの取付凸部２の外径に合致する内径の取付孔１０がその中央に穿設されている。そして、切刃部分となるその外周縁部分には、適宜間隔で複数の切込溝１１が設けられており、ミシン目状の切込線が設けられるように構成してある。尚、切込溝１１の数や間隔や寸法の変更等によって、切込線の具体的形状、寸法等を自由に設定することができる。
【００１４】
前記支持シャフトＥは、例えば、適宜金属材によって略丸軸状に構成されており、先端外周面に取付盤Ａの雌ネジ孔３に螺合する雄ネジ部１５が螺刻され、その先端面中央部分に基端がわに向って締付ネジ８が螺合する雌ネジ孔部１６が設けられている。
【００１５】
ところで、切込刃用保持装置の具体的構成、形状、寸法、材質、取付盤Ａの具体的構成、形状、寸法、材質、基盤部１の具体的構成、形状、寸法、材質、取付凸部２の具体的構成、形状、寸法、材質、雌ネジ孔３の具体的構成、形状、寸法、回り止穴４の具体的構成、形状、寸法、配設位置、数、挟持板Ｂの具体的構成、形状、寸法、材質、取付孔５の具体的構成、形状、寸法、挟持板Ｃの具体的構成、形状、寸法、材質、ネジ挿通孔６の具体的構成、形状、寸法、配設位置、収容凹部７の具体的構成、形状、寸法、配設位置、締付ネジ８の具体的構成、形状、寸法、材質、配設位置、数、切込刃Ｄの具体的構成、形状、寸法、材質、取付孔１０の具体的構成、形状、寸法、配設位置、切込溝１１の具体的構成、形状、寸法、配設位置、数、支持シャフトＥの具体的構成、形状、寸法、材質、雄ネジ部１５の具体的構成、形状、寸法、配設位置、雌ネジ孔部１６の具体的構成、形状、寸法、配設位置等は図示例のもの等に限定されることなく適宜自由に設定、変更できるものである。
【００１６】
【発明の効果】
従って、請求項１記載の切込刃用保持装置は、中央に取付孔１０が穿設され、且つ外周縁に複数の切込溝１１が設けられている略肉薄円板状のミシン目作成用切込刃Ｄを、支持シャフトＥに着脱自在に装着できるようにした切込刃用保持装置であって、略円盤状の基盤部１及びこの基盤部１より小さな略円盤状の取付凸部２を有すると共に、支持シャフトＥに固定される取付盤Ａと、この取付盤Ａの取付凸部２に取外し可能に装着されると共に、切込刃Ｄの一側面に密接する一方の挟持板Ｂと、取付盤Ａの取付凸部２に取外し可能に装着されると共に、切込刃Ｄの他側面に密接する他方の挟持板Ｃと、この他方の挟持板Ｃの中央に設けたネジ挿通孔６に挿通されると共に、支持シャフトＥの先端面中央に螺設した雌ネジ孔部１６に螺着される締付ネジ８とを備え、締付ネジ８の雌ネジ孔部１６への螺着で、切込刃Ｄを一対の挟持板Ｂ、Ｃで挟圧保持できるように構成したので、切込刃Ｄの着脱が簡単に、確実に、且つ迅速に行え、正確で、取付け精度も高く、安定した切込刃Ｄの装着状態が得られるものとなる。
加えて、切込刃Ｄが取扱い易くなり、切込刃Ｄが損耗したときの再研磨や、切込刃Ｄの互換装着作業等がより簡単に行えるようになる。
しかも、構成が簡素で、耐久性に優れ、量産に適し、低コスト化が図れ、経済的に優れた切込刃用保持装置となる。
ひいては、例えば、紙や合成樹脂シート等に、確実に且つ正確にミシン目を設けることができるようになる。
【００１７】
特に、取付盤Ａは、略円盤状の基盤部１及びこの基盤部１より小さな略円盤状の取付凸部２を有し、一方の挟持板Ｂは、取付盤Ａの取付凸部２に取外し可能に装着されると共に、切込刃Ｄの一側面に密接し、他方の挟持板Ｃは、取付盤Ａの取付凸部２に取外し可能に装着されると共に、切込刃Ｄの他側面に密接し、締付ネジ８の雌ネジ孔部１６への螺着で、切込刃Ｄを一対の挟持板Ｂ、Ｃで挟圧保持できるよう構成したので、切込刃Ｄ自体を小さく（薄く）構成できるようになると共に、切込刃Ｄ自体をかなり軽量に構成できるようになり、そのため、作業者が切込刃Ｄを持ち易く、その取扱いが容易となり、切込刃Ｄが損耗したときや、切込刃Ｄの性能が低下したときでも、切込刃Ｄの互換装着作業や、切込刃Ｄの再研磨作業等が簡単に、短時間で、且つ能率的に行えるようになり、使い勝手の優れたものとなる。
更に、比較的高価な超硬合金等で構成される切込刃Ｄ自体を小さく（薄く）構成でき、材料（超硬合金）を節約でき、切込刃Ｄ自体を低コストに提供できるようになり、経済性の優れた切込刃用保持装置となる。
【００１８】
また、請求項２記載の切込刃用保持装置は、一方の挟持板Ｂの中央には、取付盤Ａの取付凸部２が挿通される取付孔５を設け、他方の挟持板Ｃの一側面がわ中央には、取付盤Ａの取付凸部２が挿入される収容凹部７を設け、この収容凹部７奥壁面と、取付盤Ａの取付凸部２先端面との間に隙間空間が設けられるように構成したので、締付ネジ８の螺着によって、切込刃Ｄを一対の挟持板Ｂ、Ｃで確実に、且つ強固に締付けできるようになる。
【図面の簡単な説明】
【図１】本発明の切込刃用保持装置を例示する一部省略分解斜視図である。
【図２】本発明の切込刃用保持装置を例示する一部省略縦断面図である。
【符号の説明】
Ａ　　　取付盤
１　　　基盤部　　　　　　　　　　　　２　　　取付凸部
３　　　雌ネジ孔　　　　　　　　　　　４　　　回り止穴
Ｂ　　　挟持板
５　　　取付孔
Ｃ　　　挟持板
６　　　ネジ挿通孔　　　　　　　　　　７　　　収容凹部
８　　　締付ネジ
Ｄ　　　切込刃
１０　　取付孔　　　　　　　　　　　　１１　　切込溝
Ｅ　　　支持シャフト
１５　　雄ネジ部　　　　　　　　　　　１６　　雌ネジ孔部
【図１】
2004082312.tif 000003
【図２】
2004082312.tif 000004